(57)【要約】【課題】手動燃焼制御部による制御から自動燃焼制御部の制御への切替時、燃焼火力が大きく変化することを防止する暖房器の制御装置を提供する。【解決手段】暖房をしている室内の温度を検出する室温検出手段９と、室温を希望の温度に設定する室温設定手段４と、この室温検出手段９による検出室温と室温設定手段４による設定温度との温度差によって燃焼部の燃焼量を自動的に変更する自動燃焼制御部８と、室温に関係なく予め設定された複数の特定燃焼量に設定する手動燃焼制御部１３とを備え、前記自動燃焼制御部８と手動燃焼制御部１３とを適宜切替て制御するもので、前記手動燃焼制御部１３による制御から自動燃焼制御部８による制御への切替時には、室温に特定燃焼量毎に予め設定つれた補正値を加えた温度を設定温度ととしたので、室温は変動することなく安定しており快適状態を保持出来るものである。【選択図】  図２
2005134055.tif 000002
【特許請求の範囲】
【請求項１】
暖房をしている室内の温度を検出する室温検出手段と、室温を希望の温度に設定する室温設定手段と、この室温検出手段による検出室温と室温設定手段による設定温度との温度差によって燃焼部の燃焼量を自動的に変更する自動燃焼制御部と、室温に関係なく予め設定された複数の特定燃焼量に設定する手動燃焼制御部とを備え、前記自動燃焼制御部と手動燃焼制御部とを適宜切替て制御するものに於いて、前記手動燃焼制御部による制御から自動燃焼制御部による制御への切替時には、室温に特定燃焼量毎に予め設定つれた補正値を加えた温度を設定温度とする事を特徴とする暖房器の制御装置。
【請求項２】
暖房をしている室内の温度を検出する室温検出手段と、室温を希望の温度に設定する室温設定手段と、この室温検出手段による検出室温と室温設定手段による設定温度との温度差によって燃焼部の燃焼量を自動的に変更する自動燃焼制御部と、室温に関係なく予め設定された複数の特定燃焼量に設定する手動燃焼制御部とを備え、前記自動燃焼制御部と手動燃焼制御部とを適宜切替て制御するものに於いて、前記自動燃焼制御部による制御から手動燃焼制御部による制御への切替時には、自動燃焼時の燃焼量で手動燃焼でも継続させる事を特徴とする暖房器の制御装置。
【請求項３】
前記自動燃焼制御部の設定温度の室温設定手段と、手動燃焼制御部の特定燃焼量の設定部を１つ室温設定手段で兼用した事を特徴とする請求項１及び２記載の暖房器の制御装置。
【発明の詳細な説明】
【技術分野】
【０００１】
この発明は、室内の暖房を行う暖房装置で、特に希望の設定温度に室温を自動的に制御する自動燃焼と、複数の特定燃焼量が設定出来る手動燃焼とを、選択して使用出来るようにしたものである。
【背景技術】
【０００２】
従来よりこの種のものでは、室温を設定温度に自動的に制御する自動燃焼と、強・中・弱と言うような特定の燃焼量を手動で設定する手動燃焼とを、使用者が自由に選択して使用出来るようにして使用勝手を良くした暖房装置は提供されていた。（例えば、特許文献１参照。）
【特許文献１】特公平７−５４２０４号公報
【発明の開示】
【発明が解決しようとする課題】
【０００３】
ところでこの従来のものでは、自動燃焼から手動燃焼に切替てから、再び自動燃焼に戻した場合には、設定温度は前の自動燃焼時の設定温度が記憶されていて使用されるもので、現在の室内の温度状況や使用者の状況には何ら配慮されることなく、自動的に設定温度が決まってしまい極めて使用勝手が悪いものであった。
【課題を解決するための手段】
【０００４】
この発明はこの点に着目し上記問題点を解決する為、特にその構成を、暖房をしている室内の温度を検出する室温検出手段と、室温を希望の温度に設定する室温設定手段と、この室温検出手段による検出室温と室温設定手段による設定温度との温度差によって燃焼部の燃焼量を自動的に変更する自動燃焼制御部と、室温に関係なく予め設定された複数の特定燃焼量に設定する手動燃焼制御部とを備え、前記自動燃焼制御部と手動燃焼制御部とを適宜切替て制御するものに於いて、前記手動燃焼制御部による制御から自動燃焼制御部による制御への切替時には、室温に特定燃焼量毎に予め設定つれた補正値を加えた温度を設定温度としたものである。
【０００５】
又請求項２では、暖房をしている室内の温度を検出する室温検出手段と、室温を希望の温度に設定する室温設定手段と、この室温検出手段による検出室温と室温設定手段による設定温度との温度差によって燃焼部の燃焼量を自動的に変更する自動燃焼制御部と、室温に関係なく予め設定された複数の特定燃焼量に設定する手動燃焼制御部とを備え、前記自動燃焼制御部と手動燃焼制御部とを適宜切替て制御するものに於いて、前記自動燃焼制御部による制御から手動燃焼制御部による制御への切替時には、自動燃焼時の燃焼量で手動燃焼でも継続させたものである。
【０００６】
又請求項３では、前記自動燃焼制御部の設定温度の室温設定手段と、手動燃焼制御部の特定燃焼量の設定部を１つ室温設定手段で兼用したものである。
【発明の効果】
【０００７】
この発明によれば、手動燃焼から自動燃焼へ、又自動燃焼から手動燃焼への切替時には、現状の状態が維持されるものであり、大きく燃焼量が変動して使用者に不安感や違和感を持たせることがなく、安心して使用出来ると共に、室温も変動することなく安定しており快適状態を保持出来るものである。
【０００８】
更に自動燃焼制御部の設定温度の室温設定手段と、手動燃焼制御部の特定燃焼量の設定部を１つ室温設定手段で兼用すれば、操作部は１つで済み安価であると共に、設定用の操作方法も自動と手動とも同一で容易に行われるものである。
【発明を実施するための最良の形態】
【０００９】
次にこの発明の一実施形態を図面に基づいて説明する。
１は暖房器の操作部で、暖房器の運転の入／切を行う運転スイッチ２と、中央に各種設定モードの選択を行うメニューボタン３と、このメニューボタン３の外周で時計回りの回動で設定温度を１０℃〜３０℃の間で１℃或いは特定燃焼量の火力を１灯〜６灯の間で１段プラスし、反時計回りの回動では設定温度を１℃或いは特定燃焼量の火力を１段マイナスするダイヤル式の室温設定手段４と、設定温度と室温或いは特定燃焼量の火力、運転状態等を表示する表示部５と、タイマー運転の入／切を行うタイマースイッチ６と、押圧毎に手動／自動の切替を行う切替スイッチ７とが備えられており、運転開始時には自動燃焼が優先して選択されるものである。
【００１０】
次に図２の電気回路の説明図では、８は自動燃焼制御部で、暖房をしている室内の温度を検出する室温検出手段９からの検出室温と、切替スイッチ７の自動側への切替で室温設定手段４と接続されることで、希望の室温を表示部５を見ながら室温設定手段４で設定された設定温度とを、比較してその差に応じ室温が設定温度に近づく火力を予め設定された火力テーブルから引き出して運転制御部１０へ送ることで、この運転制御部１０が電磁ポンプ１１の駆動パルスや燃焼ファン１２の送風量を制御して、設定の火力で燃焼部（図示せず）を燃焼させるものである。
【００１１】
この室温と設定温度との差による火力設定は、差が＋２．５℃以上で１灯、差が＋０．５℃以上〜＋２．５℃未満が２灯、差が−０．５℃以上〜＋０．５℃未満が３灯、差が−１．５℃以上〜−０．５℃未満が４灯、差が−３．５℃以上〜−１．５℃未満が５灯、差が−３．５℃未満が６灯としている。
【００１２】
１３は手動燃焼制御部で、切替スイッチ７の手動側への切替で室温設定手段４と接続されることで、表示部５を見ながら室温に関係なく希望の特定燃焼量の火力を設定することにより、運転制御部１０が電磁ポンプ１１の駆動パルスや燃焼ファン１２の送風量を制御して、設定の特定燃焼量の火力となるように燃焼部を燃焼させるものである。
【００１３】
更に前記自動燃焼制御部８及び手動燃焼制御部１３及び運転制御部１０は、１つのマイコン１４内に格納されているものであり、自動燃焼制御部８と手動燃焼制御部１３との間には火力演算部１５が備えられ、常に或いは切替スイッチ７による切替タイミングで、現在の火力状態を情報として共有させると共に、手動燃焼から自動燃焼への切替時には、設定温度を現在室温に切替時の火力に応じた補正値を加えた温度とするもので、補正値は予め設定されており、ここでは１灯で−３℃、２灯で−１℃、３灯で０℃、４灯で＋１℃、５灯で＋２℃、６灯で＋４℃としているものであり、自動燃焼から手動燃焼への切替時には、現状の火力でそのまま移行させるものである。
【００１４】
次にこの一実施形態の作動を図３のフローチャートで説明すれば、今ステップ１６で自動燃焼中では、室温検出手段９の検出室温と使用者が設定した設定温度との差を演算し（ステップ１７）、ステップ１８で運転制御部１０がこの差に応じた火力で燃焼部を燃焼させるものである。
【００１５】
そして、ステップ１９で切替スイッチ７を押圧すれば、ＹＥＳでステップ２０に進んで自動燃焼制御部８の制御から手動燃焼制御部１３の制御に切替られると共に、表示部５の表示が設定温度表示から特定燃焼量の火力表示となるものであり、又この切替時の火力は火力演算部１５によって自動燃焼制御部８の現在火力が手動燃焼制御部１３に伝えられているので、現在火力で継続して燃焼されるものである。
【００１６】
ステップ２１で室温設定手段４がプラス側に回動されたかを判断し、ＹＥＳでステップ２２に進んで今の特定燃焼量の火力を一段アップさせて燃焼させるものであり、ＮＯではステップ２３に進み室温設定手段４がマイナス側に回動されたかを判断し、ＹＥＳでステップ２４に進んで今の特定燃焼量の火力を一段ダウンさせて燃焼させるものである。
【００１７】
次にステップ２５で再び切替スイッチ７が押圧されれば、ＹＥＳでステップ２６に進んで手動燃焼制御部１３の制御から自動燃焼制御部８の制御に切替られると共に、表示部５の表示が特定燃焼量の火力表示から設定温度表示となるものであり、又この切替時の設定温度は、現在室温に切替時の特定火力によって決定される補正値を加えたものとなり、１灯のステップ２７では、現在室温に−３℃をプラスしたものが設定温度であり、２灯のステップ２８では、現在室温に−１℃をプラスしたものが設定温度であり、３灯のステップ２９では、現在室温に０℃をプラスしたものが設定温度であり、４灯のステップ３０では、現在室温に＋１℃をプラスしたものが設定温度であり、５灯のステップ３１では、現在室温に＋２℃をプラスしたものが設定温度であり、６灯のステップ３２では、現在室温に＋４℃をプラスしたものが設定温度であり、ステップ３３でこの設定温度と室温との差を演算し、ステップ３４でこの差に応じた燃焼を運転制御部１０が行うものである。
【００１８】
従って、手動燃焼から自動燃焼への切替時には、自動燃焼時の火力がそのまま継続されるので、燃焼火力が現在の状態から大きく変化することがなく、使用者に不信感や不安感を与えることもなく、安心して使用することが出来るものであり、更に自動燃焼から手動燃焼への切替時にも、自動燃焼時の燃焼火力が継続されるので、慌てて調整する必要がなく極めて使用勝手が良いものである。
又自動燃焼時の設定温度の設定と、手動燃焼時の特定燃焼量の火力設定とを同一の室温設定手段４で行うようにすることで、操作の頻雑さを招くことなく簡単明快であり、誤操作の心配もなく安心であると共に、スイッチは１つで済み安価である。
【００１９】
次に図５に示す他の実施例について説明するが、上記の一実施形態と同一部分については同じ符号を付し説明を省略して、相違部分のみ説明すれば、室温設定手段３５がダイヤル方式でなく、従来より使用されているプッシュスイッチで、＋側を押圧する毎に設定温度が１℃或いは設定火力が１段アップし、−側を押圧すればダウンするようにしたものである。
【図面の簡単な説明】
【００２０】
【図１】この発明の一実施形態を示す暖房器の操作部の説明図。
【図２】同要部電気回路のブロック図。
【図３】同要部の前半のフローチャート。
【図４】同要部の後半のフローチャート。
【図５】他の実施例を示す操作部の説明図。
【符号の説明】
【００２１】
４  室温設定手段
７  切替スイッチ
８  自動燃焼制御部
９  室温検出手段
１０  運転制御部
１３  手動燃焼制御部
１５  火力演算部
【図１】
2005134055.tif 000003
【図２】
2005134055.tif 000004
【図３】
2005134055.tif 000005
【図４】
2005134055.tif 000006
【図５】
2005134055.tif 000007